(57)【特許請求の範囲】
【請求項１】
撓み変形により落下物を捕捉する可撓性の防護ネットであって、
合成繊維製のネット状物である繊維ネットと、
前記繊維ネットの受撃面に重合して配置したネットカバーと、
前記ネットカバーを繊維ネットに取り付けた複数の接続具とよりなり、
受撃時に前記ネットカバーが落下物を包み込むように、ネットカバーの取付部が繊維ネットから分離可能であることを特徴とする、
防護ネット。
【請求項２】
前記ネットカバーが繊維ネットよりも大きい剛性と繊維ネットよりも小さな可撓性を併有した合成繊維製のネット状物またはシート状物であることを特徴とする、請求項１に記載の防護ネット。
【請求項３】
前記ネットカバーの伸度が繊維ネットの伸度よりも小さいことを特徴とする、請求項１または２に記載の防護ネット。
【請求項４】
前記ネットカバーの網目が繊維ネットの網目よりも小さい寸法関係にあることを特徴とする、請求項１乃至３の何れか一項に記載の防護ネット。
【請求項５】
前記繊維ネットは該繊維ネットの周縁の網目に挿通して取り付けた弾性変形が可能な枠ロープを具備し、枠ロープを介して繊維ネットの周縁を保持することを特徴とする、請求項１乃至４の何れか一項に記載の防護ネット。
【請求項６】
前記枠ロープの破断伸度が繊維ネットの破断伸度よりも大きい関係にあることを特徴とする、請求項５に記載の防護ネット。
【請求項７】
間隔を隔てて立設した支柱間に防護ネットを横架した衝撃吸収柵であって、
前記請求項１乃至６の何れか一項に記載の防護ネットを具備し、
防護ネットを構成する繊維ネットの左右側辺を隣り合う支柱に支持させ、
防護ネットを構成するネットカバーを斜面山側に位置させ、
受撃時にネットカバーの取付部が繊維ネットから分離し、分離したネットカバーが落下物を包み込んで繊維ネットに捕捉されるように構成したことを特徴とする、
衝撃吸収柵。
【請求項８】
隣り合う支柱の上部間に上辺ロープを張設し、該上辺ロープに繊維ネットの上辺を懸架したことを特徴とする、請求項７に記載の衝撃吸収柵。
【発明の詳細な説明】
【技術分野】
【０００１】
本発明は落石、土砂崩落、雪崩等の落下物を捕捉する衝撃吸収技術に関し、特に落下物の捕捉性を改善した合成繊維製の防護ネットおよび衝撃吸収柵に関する。
【背景技術】
【０００２】
特許文献１，２は、合成樹脂、化学繊維等からなる網糸をネット状に編成した合成繊維製の防護ネットを開示している。
合成繊維製の防護ネットは、ワイヤロープや金網等の金属製ネットと比べて、柔らかく重量が軽いため運搬取扱性に優れ、受撃時にネットが斜面谷側へ大きく変形することで衝撃エネルギーを吸収するといった特性を有している。
特許文献３は、粗目ネットの斜面山側に細目ネットを重ね合わせて衝撃力の分散性能を高めた合成繊維製の防護ネットを開示している。
粗目ネットは衝撃吸収を主目的とし、細目ネットは小石等の通過阻止を主目的としていて、これらの各ネットの周縁を隣り合う支柱に取り付けて張設している。
【先行技術文献】
【特許文献】
【０００３】
【特許文献１】特開２００３−２６１９１０号公報
【特許文献２】特開２００５−３０７５７２号公報
【特許文献３】特開２０１３−１５５４９３号公報
【発明の概要】
【発明が解決しようとする課題】
【０００４】
従来の防護ネットには次のような問題点がある。
＜１＞一般に合成繊維製の防護ネットは、金属製ネットと比べて可撓性に優れるため、受撃時に防護ネットが岩塊等の落下物の表面の凹凸形状に追従して自由に変形することで、防護ネットに切創が生じ易い。
さらに、落下物が回転しながら防護ネットに衝突することで、防護ネットの受撃面に回転摩擦熱が生じる。
このように従来の合成繊維製の防護ネットは、岩塊等の落下物の回転を考慮した耐性構造にはなっていないため、落下物の衝突時にネット素材が破れ易く、防護ネットが有する本来の捕捉性能を十分に発揮することができない。
＜２＞単に網目寸法の異なる２枚の合成繊維製ネットを重ね合わせただけの特許文献３の防護ネットも、落下物の回転を考慮した構造ではないため、先行して細目ネットが破れた直後に露出した粗目ネットが破れてしまい、本来の捕捉性能を発揮することができない。
＜３＞合成繊維製の防護ネットの切創強度を高めるには、例えば網糸を太径にする方法とネット素材に耐切創性に優れた特殊繊維を用いる方法が考えられる。
前者の方法は防護ネットの製作コストが嵩む問題と、重量が増して取扱性が悪くなり、後者の方法は防護ネットの製作コストが嵩む問題と、ネット素材の可撓性が損なわれて衝撃エネルギーの吸収性能が落ちるといった問題があり、いずれの方法も実用的に採用が難しい。
【０００５】
本発明は以上の点に鑑みて成されたもので、その目的とするところは、落下物が回転しながら衝突しても、合成繊維製ネットの破断を効果的に抑制しつつ、合成繊維製ネットが有する本来の捕捉性能を発揮できる、防護ネットおよび衝撃吸収柵を提供することにある。
【課題を解決するための手段】
【０００６】
本発明は、撓み変形により落下物を捕捉する可撓性の防護ネットであって、合成繊維製のネット状物である繊維ネットと、前記繊維ネットの受撃面に重合して配置したネットカバーと、前記ネットカバーを繊維ネットに取り付けた複数の接続具とよりなり、受撃時に前記ネットカバーが落下物を包み込むように、ネットカバーの取付部が繊維ネットから分離可能に構成した。
本発明の他の形態において、前記ネットカバーが繊維ネットよりも大きい剛性と繊維ネットよりも小さな可撓性を併有した合成繊維製のネット状物またはシート状物である。
本発明の他の形態において、受撃時にネットカバーの張力が繊維ネットの張力に卓越するように、前記ネットカバーの伸度が繊維ネットの伸度よりも小さくなっている。
本発明の他の形態において、繊維ネットに落下物が直接当たらないように、前記ネットカバーの網目が繊維ネットの網目よりも小さい寸法関係になっている。
本発明の他の形態において、防護ネットを支柱等の支持部材に取り付けできるように、前記繊維ネットは該繊維ネットの周縁の網目に挿通して取り付けた弾性変形が可能な枠ロープを具備し、枠ロープを介して繊維ネットの周縁を保持し得るようになっている。
本発明の他の形態において、受撃時に枠ロープと繊維ネットが協働して落下物の衝撃エネルギーを吸収するように、前記枠ロープの破断伸度が繊維ネットの破断伸度よりも大きい関係にしてある。
本発明は、間隔を隔てて立設した支柱間に防護ネットを横架した衝撃吸収柵であって、前記した何れかひとつの防護ネットを具備し、防護ネットを構成する繊維ネットの左右側辺を隣り合う支柱に支持させ、防護ネットを構成するネットカバーを斜面山側に位置させ、受撃時にネットカバーが繊維ネットから分離し、分離したネットカバーが落下物を包み込んで繊維ネットに捕捉されるように構成した。
本発明の他の形態において、防護ネットの柵高低下を防止するため、隣り合う支柱の上部間に上辺ロープを張設し、該上辺ロープに繊維ネットの上辺を懸架してもよい。
【発明の効果】
【０００７】
本発明は少なくともつぎのひとつの効果を奏する。
＜１＞落下物が回転しながら衝突しても、合成繊維製の繊維ネットの破断を効果的に抑制しつつ、防護ネットを構成する繊維ネットが有する本来の捕捉性能を発揮することができる。
＜２＞落下物の捕捉時にネットカバーが分離して落下物の表面を被覆するので、ネットカバーが繊維ネットを防護すると共に、落下物の回転を繊維ネットに直接伝えない。
したがって、落下物の回転に起因した繊維ネットの破損を効果的に抑制できる。
＜３＞ネットカバーが落下物の外形形状に追従した自由な変形をしすぎないので、ネットカバーを通じた繊維ネットへの荷重伝達面積が拡張する。
そのため、落下物の捕捉時における繊維ネットの受撃面に局所的に荷重が集中するのを回避できる。
＜４＞繊維ネットにネットカバーと取付具を組み合せるだけの構成であるので、繊維ネットの網糸に太径の網糸を使用したり、耐切創性に優れた特殊繊維を用いたりする必要がない。
そのため、繊維ネットの製作コストが嵩んだり、重量が増して運搬性、取扱性が悪くなったりする心配がない。
＜５＞ネットカバーの網目を繊維ネットの網目よりも小さい寸法関係にすることで、ネットカバーによる繊維ネットの防護性能が高くなる。
＜６＞枠ロープの破断伸度を繊維ネットの破断伸度よりも大きくすることで、受撃時において枠ロープと繊維ネットが協働して落下物の衝撃エネルギーを吸収することができる。
＜７＞隣り合う支柱の上部間に張設した上辺ロープに繊維ネットの上辺を懸架することで、防護ネットの上辺中央部の柵高低下を防止して支柱のスパン長を長くできる。
【図面の簡単な説明】
【０００８】
【図１】斜面山側から見た防護ネットを具備した衝撃吸収柵の斜視図
【図２】ネットカバーを省略した防護ネットと支柱上部の取付部の説明図
【図３】一部を省略したネットカバーの説明図
【図４】取付具の説明図で（Ａ）は樹脂製結束バンドの斜視図（Ｂ）は連結コイルの斜視図
【図５】落下物の捕捉初期における衝撃吸収柵のモデル図
【図６】ネットカバーが分離したきの衝撃吸収柵のモデル図
【発明を実施するための形態】
【０００９】
以下に図面を参照しながら本発明について説明する。
【００１０】
＜１＞衝撃吸収柵
図１，２を参照して説明すると、衝撃吸収柵は所定の間隔を隔てて立設した複数の支柱１０と、複数の支柱１０間に縦向きに横架した防護ネット２０とを具備する。以降に衝撃吸収柵を構成する主要な資材について詳述する。
【００１１】
＜２＞支柱
支柱１０は公知の形鋼や鋼管等の鋼材、コンクリート柱、鋼管とコンクリートを複合した充填鋼管等の何れか一種を適用できる。
支柱１０の外周面には防護ネット２０を取り付け可能な複数のフックが設けてある。
支柱１０の立設形態は傾倒可能に立設してもよいし、支柱１０の下部をコンクリート基礎や現地地盤等に埋設して傾倒不能に立設してもよい。
また必要に応じて支柱１０の頭部と山側アンカーとの間に控えロープ１１を連結する。
防護ネット２０や控えロープ１１等を取り付けけるため、支柱１０の上下部等に複数のフック１２を設けておく。
【００１２】
＜３＞防護ネット
防護ネット２０は岩塊等の落下物を捕捉するための可撓性ネットで、方形を奏する繊維ネット２１と、繊維ネット２１の受撃面に重合して付設したネットカバー２５と、ネットカバー２５を繊維ネット２１に分離可能に付設する接続具３０とよりなる。
繊維ネット２１の受撃面とはネットの斜面山側面を指す。
【００１３】
＜３．１＞繊維ネット
繊維ネット２１は可撓性を有する合成繊維製のネット状物であり、落下物を捕捉可能な寸法の網目２２を有する
繊維ネット２１は繊維ネット２１の周縁の網目２２に挿通して一体に取り付けた枠ロープ２３を具備する。
繊維ネット２１と枠ロープ２３は共に合成繊維製で弾性変形が可能であり、受撃時において繊維ネット２１および枠ロープ２３の弾性変形により衝撃エルルギーの吸収が可能である。
【００１４】
＜３．１．１＞繊維ネットの素材
繊維ネット２１はポリエチレン等の合成繊維フィラメントを複数本撚り合わせて伸長可能なストランドを形成し、これらを格子状に撚り合わせて編成した無結節網または有結節網を適用できる。
繊維ネット２１には、耐候性ポリエステル繊維を極太のラッシェル編物として編成した高い衝撃分散力を持つネイチャーネット（前田工繊株式会社製）を使用できる。
【００１５】
本発明では繊維ネット２１の切創強度を高める手段として、ネットカバー２５と取付具３０の組合せを採用することで、繊維ネット２１の網糸を太径にしたり、耐切創性に優れた特殊繊維を用いたりする必要がなくなる。
そのため、繊維ネット２１の製作コストが嵩んだり、重量が増して取扱性が悪くなったり、繊維ネット２１の可撓性が損なわれたりする心配がない。
【００１６】
＜３．１．２＞枠ロープ
繊維ネット２１の上下辺および左右辺を支持する枠ロープ２３は、繊維ネット２１の四辺に連続して配設する無端構造の形態でもよいし、繊維ネット２１の各辺単位で配設する形態でもよい。
枠ロープ２３は高伸度繊維糸からなる高強度ロープで、高い衝撃吸収性能を有する。
高伸度繊維糸には、ポリエステル、ポリアミド、塩化ビニル、ポリプロピレン等の合成繊維が挙げられる。
枠ロープ２３の破断伸度は繊維ネット２１の破断伸度よりも大きい関係にあり、受撃時に枠ロープ２３が繊維ネット２１の周縁部の自由な弾性変形を抑制する。
【００１７】
なお、枠ロープ２３は必須ではなく、繊維ネット２１の周縁部を直接支持する場合は枠ロープ２３を省略してもよい。
【００１８】
＜３．２＞ネットカバー
ネットカバー２５は繊維ネット２１の受撃面を被覆し、受撃時に岩塊等の落下物を包み込むことが可能な適度の剛性と可撓性を有する軽量なネット状物またはシート状物である。
ネットカバー２５は風の影響を避けるため、ネット状物または有孔シート状物が好ましいが、無孔のシート状物でもよい。
ネットカバー２５は繊維ネット２１の保護部材として機能することの他に、繊維ネット２１へ向けた落下物の回転伝達を緩和することに機能する。
【００１９】
＜３．２．１＞ネットカバーの剛性と可撓性
ネットカバー２５は適度の剛性と可撓性を併有している。
ネットカバー２５の剛性は繊維ネット２１よりも大きく、ネットカバー２５の可撓性は繊維ネット２１よりも小さい。
ネットカバー２５の剛性を高めるほど落下物の衝突時にネットカバー２５の受撃部が破損し易くなり、ネットカバー２５の可撓性を高めるほど、落下物の捕捉時におけるネットカバー２５が落下物の外形形状に合わせた追従変形がし易くなる。
したがって、落下物の衝突時にネットカバー２５の破損を回避できるだけの可撓性と、落下物の捕捉時にネットカバー２５が落下物の外形形状に合わせた追従変形をさせすぎない程度の剛性を満足するように、ネットカバー２１の可撓性と剛性を適宜選択する。
【００２０】
＜３．２．２＞繊維ネットとネットカバーの伸度
ネットカバー２５の伸度は繊維ネット２１の伸度よりも小さい。
これは受撃して防護ネット２０が変形する際に、高伸度の繊維ネット２１に対して低伸度のネットカバー２５の張力との間に張力差を生じさせるためである。
換言すると、受撃時にネットカバー２５の張力を繊維ネット２１の張力に卓越させてネットカバー２５を分離させるためである。
ネットカバー２５と繊維ネット２１の各伸度は、落下物の衝撃エネルギー等を考慮して適宜選択する。
【００２１】
＜３．２．３＞ネットカバーの寸法
ネットカバー２５の全体寸法は特に制約がない。
ネットカバー２５は繊維ネット２１の受撃面を被覆できればよいので、図１に示すような繊維ネット２１の受撃面の縦横寸法とほぼ同一の一枚もののネットカバー２５でもよいし、ネットカバー２５は繊維ネット２１の受撃面を複数に分割して被覆する形態でもよい。
【００２２】
＜３．２．４＞ネットカバーの例示
図３に例示したネットカバー２５には、耐候性ポリエステル繊維のラッシェル網２６にモノフィラメント２７を形状保持材として挿入した複合ポリエステル製ラッシェル網であるＧＭネット（前田工繊株式会社製）を使用できる。
ネットカバー２５は通常の繊維網と比べて強度が大きく、目合い（網目形状）が崩れない適度の剛性を有している。
【００２３】
＜３．２．５＞ネットカバーの網目
ネットカバー２５が網目２８を有するネット状物である場合、ネットカバー２５の網目２８を繊維ネット２１の網目２２よりも大きい寸法関係にあると、ネットカバー２５による繊維ネット２１の防護作用を喪失するそれがある。
そのため、ネットカバー２５の網目２８は繊維ネット２１の網目２２よりも小さい寸法関係にしてある。
【００２４】
＜３．３＞接続具
接続具３０はネットカバー２５を繊維ネット２１に分離可能に取り付けるためのファスナー部材である。
複数の接続具３０の設置位置はネットカバー２５の周縁部に限定されず、周縁部以外の適宜の部位に設置してもよい。
【００２５】
＜３．３．１＞接続具の例示
図４は接続具３０の例示を示していて、接続具３０には図４（Ａ）に示した樹脂製結束バンドや同図（Ｂ）に示したらせん形を呈する金属製または樹脂製の連結コイルを適用できる。
接続具３０として樹脂製結束バンドを適用した場合は、ネットカバー２５に所定値以上の張力が作用したときに樹脂製結束バンドが破断するように、樹脂製結束バンドの破断強度をネットカバー２５の破断強度より低くする。
接続具３０として連結コイルを適用した場合は、ネットカバー２５に所定値以上の張力が作用したときに連結コイル側が破断またはらせん形状が解けるように構成する。
さらに図示を省略するが、接続具３０として面ファスナーを適用することも可能である。面ファスナーを適用した場合は、ネットカバー２５に所定値以上の張力が作用したときにネットカバー２５が分離するように構成する。
接続具３０は上記したファスナー部材に限定されず、ネットカバー２５を仮固定できる市販の簡易ファスナー部材を適用できる。
【００２６】
またネットカバー２５に所定値以上の張力が作用したときに、接続具３０ではなくネットカバー２５側の取付部が断裂するように構成してもよい。
【００２７】
＜４＞防護ネットの横架方法
防護ネット２０は個別に搬入した繊維ネット２１にネットカバー２５を組み付けて現場で防護ネット２０を製作してもよいし、完成した形態の防護ネット２０を現場へ搬入して使用してもよい。
【００２８】
何れの搬入方法でも、現場へ搬入した繊維ネット２１の枠ロープ２３を支柱１０の上下部のフック１２に係留または連結することで繊維ネット２１の四つ角を支柱１０に取り付けて、隣り合う支柱１０間に防護ネット２０を横架する。
防護ネット２０の資材を個別に搬入する場合では、支柱１０間に繊維ネット２１を先行して取り付けた後に、接続具３０を用いて繊維ネット２１の受撃面にネットカバー２５を取り付ける。
【００２９】
支柱１０のスパンが長くなると防護ネット２０の上辺中央部が下がって柵高が低くなる。
このような現場では、隣り合う支柱１０の上部間に上辺ロープ１３を張設し、上辺ロープ１３と繊維ネット２１の上辺との間を、連結コイル、シャックル等の連結具１４を介して分離不能に連結することで柵高が低くなるのを抑制する。
【００３０】
隣り合う繊維ネット２１の左右の側辺間は連結せずにフリーの状態にしておいてもよいし、隣り合う繊維ネット２１の左右の側辺に位置する枠ロープ２３間に別途の縫合用のロープ材を掛け渡して隣り合う繊維ネット２１の左右の側辺間を閉鎖してもよい。
【００３１】
［防護ネットによる落下物の捕捉作用］
つぎに図５，６を参照して防護ネット２０による落下物４０の捕捉作用について説明する。
【００３２】
＜１＞捕捉初期における防護ネットの変形
図５は岩塊等の落下物４０の捕捉初期における衝撃吸収柵のモデル図を示している。
斜面４１に沿って落下物４０が回転しながら防護ネット２０に衝突すると、支柱１０に支持された防護ネット２０が受撃部を中心に斜面谷側へ向けた撓み変形を生じて衝撃エネルギーを吸収しつつ落下物４０を捕捉する。
【００３３】
落下物４０は防護ネット２０のネットカバー２５に衝突する。
ネットカバー２５は自己の可撓性によって衝撃破壊を回避すると共に、繊維ネット２１を落下物４０の切創から保護する。
落下物４０の捕捉時において、ネットカバー２５はある程度変形するものの、その適度の剛性により落下物４０の外形形状に追従した自由な変形はしない。
【００３４】
＜２＞ネットカバーの分離
ネットカバー２５の伸びは繊維ネット２１より小さいので、防護ネット２０の変形に伴いネットカバー２５の張力が増大する。
防護ネット２０の変形時において、繊維ネット２１とネットカバー２５の張力に差が生じ、この張力差がネットカバー２５の取付部（接続具３０）に引張力として作用する。
ネットカバー２５の張力が所定値以上に達すると、ネットカバー２５の取り付けが解除されてネットカバー２５が繊維ネット２１から分離する。
落下物４０が回転しながら衝突することで、ネットカバー２５が落下物４０の回転の影響を受けて繊維ネット２１から分離し易くなる。
図６はネットカバー２５が分離したときの衝撃吸収柵のモデル図を示している。
【００３５】
＜３＞ネットカバーによる落下物の被覆
繊維ネット２１から分離したネットカバー２５は、繊維ネット２１の影響を受けずに個別に変形して落下物４０の表面を包み込む。
落下物４０は分離したネットカバー２５に包み込まれた状態で繊維ネット２１の受撃面に衝当する。
【００３６】
＜４＞ネットカバーの作用
既述した落石４０の捕捉時において、防護ネット２０を構成するネットカバー２５はつぎの複数の作用を発揮する。
【００３７】
＜４．１＞繊維ネットの防護作用
ネットカバー２５は繊維ネット２１から分離した後も繊維ネット２１と落下物４０の間に介在するので、分離前と同様に継続して繊維ネット２１の防護作用を発揮して、繊維ネット２１を切創から防護する。
【００３８】
＜４．２＞落下物の回転絶縁作用
仮に、ネットカバー２５が繊維ネット２１に分離不能な状態で取り付けてある場合には、ネットカバー２５に伝えられた落下物４０の回転が繊維ネット２１にも伝えられて、繊維ネット２１が損傷を受け易い。
【００３９】
これに対して落下物４０の捕捉時にネットカバー２５が繊維ネット２１から分離するように構成すると、ネットカバー２５が落下物４０の被覆部材となるために、落下物４０の回転が繊維ネット２１に直接伝わらない。
したがって、落下物４０の回転に起因した繊維ネット２１の摩擦熱の発生を効果的に抑制できる。
落下物４０の回転は繊維ネット２１に対してネットカバー２５が滑動することで吸収され、ネットカバー２５は繊維ネット２１に対し斜面谷側ヘ向けた衝撃力だけを伝達する。
【００４０】
＜４．３＞荷重伝達面積の拡張作用
ネットカバー２５はその適度の剛性により落下物４０の外形形状に追従した自由な変形をしないので、ネットカバー２５は落下物４０の表面の凹凸を緩和して繊維ネット２１との接触面に丸みがでる。
繊維ネット２１の受撃面に対するネットカバー２５の接触面は点ではなく曲面となるので、繊維ネット２１への荷重伝達面積が拡張する。
このようにネットカバー２５の剛性を通じて、繊維ネット２１との接触面積が増える結果、繊維ネット２１の受撃面における局所的な荷重の集中を回避できる。
【００４１】
＜５＞防護ネットの性能
以上説明したように、本発明に係る防護ネット２０は、落下物４０の衝突時に繊維ネット２１の受撃面に切創と摩擦熱が生じ難いので、繊維ネット２１が本来有している捕捉性能を十分に発揮することができる。
【００４２】
［他の実施例］
図１に示すように先の実施例では、間隔を隔てて立設した支柱１０の間に防護ネット２０を縦向きに横架して構成する衝撃吸収柵の形態について説明したが、防護ネット２０は支柱１０に代えて立木の間に縦向きに横架してもよいし、防護ネット２０の周囲を静止部材で支持して横向きの形態で使用してもよい。
【符号の説明】
【００４３】
１０・・・・支柱
１１・・・・控えロープ
１２・・・・フック
１３・・・・上辺ロープ
２０・・・・防護ネット
２１・・・・繊維ネット
２２・・・・繊維ネットの網目
２３・・・・枠ロープ
２５・・・・ネットカバー
２６・・・・ラッシェル網
２７・・・・モノフィラメント
２８・・・・ネットカバーの網目
３０・・・・接続具
４０・・・・落下物
【要約】
【課題】落下物の捕捉時における合成繊維製ネットの破断を効果的に抑制しつつ、合成繊維製ネットが有する本来の捕捉性能を発揮できる、防護ネットおよび衝撃吸収柵を提供すること。
【解決手段】合成繊維製の繊維ネット２１と、繊維ネット２１の受撃面に重合して配置したネットカバー２５と、ネットカバー２５を繊維ネット２１に取り付けた複数の接続具３０とよりなり、受撃時にネットカバー２５が落下物を包み込むように、ネットカバー２５が繊維ネット２１から分離可能に構成した。
【選択図】図１【図１】
0006889969.tif 000002
【図２】
0006889969.tif 000003
【図３】
0006889969.tif 000004
【図４】
0006889969.tif 000005
【図５】
0006889969.tif 000006
【図６】
0006889969.tif 000007